(57)【要約】【課題】  キーボードやマウスなどの入力手段を用いた操作の困難さや、これらの入力手段を用いた操作ルールを理解し覚えるという負担を軽減し、コンピュータに不慣れな利用者が簡易にコンピュータ上のアプリケーションを利用できるようにする。【解決手段】  利用者が、操作カードをＲ／Ｗ４に近づけると、アプリケーションシステム３は、操作カードが内蔵するＲＦ−ＩＤタグ内のＩＤ及びアプリケーションに対する操作指示を読み込む。正当性確認手段５３がＩＤにより操作カードの正当性を確認すると、操作順決定手段５５は、記憶手段５１内に記憶されている順序情報に従って操作指示の順序を決定する。操作指示出力手段５６は、操作順決定手段５５が決定した順序に従って、アプリケーション実行手段６へ操作指示を通知する。アプリケーションは、アプリケーション実行手段６から受けた操作指示に従い、動作する。【選択図】      図１
2005092787.tif 000002
【特許請求の範囲】
【請求項１】
アプリケーションに対する操作指示を出力する操作指示装置と、前記操作指示を示す操作指示情報を記憶した操作指示記憶媒体とからなるアプリケーション操作システムであって、
前記操作指示記憶媒体は、
操作指示情報を記憶する記憶手段を備え、
前記操作指示装置は、
前記操作指示記憶媒体の記憶手段から操作指示情報を読み込む読込み手段と、
前記読込み手段が読み込んだ操作指示情報に応じた操作指示を、操作対象のアプリケーションを実行するアプリケーション実行手段に通知する操作指示出力手段とを備える、
ことを特徴とするアプリケーション操作システム。
【請求項２】
前記操作指示記憶媒体の記憶手段は、操作指示記憶媒体の識別手段をさらに記憶し、
前記操作指示装置は、前記読込み手段が読み込んだ操作指示記憶媒体の識別情報により正当性を確認する正当性確認手段をさらに備える、
ことを特徴とする請求項１に記載のアプリケーション操作システム。
【請求項３】
前記操作指示記憶媒体の記憶手段は、複数の記憶ブロックからなり、
前記操作指示装置は、
操作指示情報を読み出す対象の記憶ブロックを選択するための選択情報を記憶する記憶手段と、
前記記憶手段内の選択情報を参照して選択した記憶ブロックから操作指示情報を読み出す操作選択手段とをさらに備える、
ことを特徴とする請求項１または請求項２に記載のアプリケーション操作システム。
【請求項４】
前記操作指示装置の記憶手段は、操作指示の通知順序を規定する順序情報をさらに記憶し、
前記操作指示装置は、前記記憶手段内の順序情報を参照して前記操作指示出力手段による操作指示の通知順を決定する操作順決定手段をさらに備える、
ことを特徴とする請求項１から請求項３のいずれかの項に記載のアプリケーション操作システム。
【請求項５】
前記操作指示情報は、データ及び機能を実行させる指示であるファンクションのどちらか一方あるいは両方からなる
ことを特徴とする請求項１から請求項４のいずれかの項に記載のアプリケーション操作システム。
【請求項６】
前記操作指示は、文字の入力あるいは機能の切り替えであることを特徴とする請求項１から請求項５のいずれかの項に記載のアプリケーション操作システム。
【請求項７】
前記操作指示装置は、前記操作指示記憶媒体の記憶手段へアプリケーションに対する操作指示情報を書き込む書込み手段をさらに備える、
ことを特徴とする請求項１から請求項６のいずれかの項に記載のアプリケーション操作システム。
【請求項８】
前記操作指示記憶媒体の記憶手段は、無線タグであることを特徴とする請求項１から請求項７のいずれかの項に記載のアプリケーション操作システム。
【請求項９】
アプリケーションに対する操作指示を出力する操作指示装置と、前記操作指示を示す操作指示情報を記憶した操作指示記憶媒体とからなるアプリケーション操作システムに用いられる前記操作指示装置であって、
前記操作指示記憶媒体の記憶手段から操作指示情報を読み込む読込み手段と、
前記読込み手段が読み込んだ操作指示情報に応じた操作指示を、操作対象のアプリケーションを実行するアプリケーション実行手段に通知する操作指示出力手段と、
を備えることを特徴とする操作指示装置。
【請求項１０】
アプリケーションに対する操作指示を出力する操作指示装置と、前記操作指示を示す操作指示情報を記憶した操作指示記憶媒体とからなるアプリケーション操作システムに用いられるアプリケーション操作方法であって、
前記操作指示記憶媒体が、
操作指示情報を記憶する記憶手段を用意し、
前記操作指示装置が、
前記操作指示記憶媒体の記憶手段から操作指示情報を読み込み、
読みこんだ操作指示情報に応じた操作指示を、操作対象のアプリケーションを実行するアプリケーション実行手段に通知する、
ことを特徴とするアプリケーション操作方法。
【請求項１１】
アプリケーションに対する操作指示を出力する操作指示装置と、前記操作指示を示す操作指示情報を記憶した操作指示記憶媒体とからなるアプリケーション操作システムに用いられる操作指示装置のコンピュータプログラムであって、
前記操作指示記憶媒体の記憶手段から操作指示情報を読み込むステップと、
読み込んだ操作指示情報に応じた操作指示を、操作対象のアプリケーションを実行するアプリケーション実行手段に通知するステップと、
をコンピュータに実行させることを特徴とするコンピュータプログラム。
【発明の詳細な説明】
【技術分野】
【０００１】
本発明は、アプリケーション操作システム及び方法、ならびに、操作指示装置に関する。
【背景技術】
【０００２】
従来、利用者がコンピュータ上のアプリケーションを操作するときは、キーボードやマウス等のハードウェアの持つ入力手段を用いて、操作指示入力や文字入力を行っていた。
【０００３】
一方、特許文献１には、実物体の直感的な操作性と、ＧＵＩが提供する汎用的な機能を融合した情報入出力システムについて記載されている。具体的には、無線タグを埋め込んだ透明なタイルをインターフェースの単位とし、平面状に設置されたディスプレイ又はタブレット上にタイルを配置する。そして、システム側では無線タグに含まれる識別情報を読み出し、これに該当する処理を起動する。
【特許文献１】特開２００２−１３２４４６号公報
【発明の開示】
【発明が解決しようとする課題】
【０００４】
従来、利用者がパーソナルコンピュータ上のアプリケーションを操作するためには、パーソナルコンピュータ及びアプリケーション上の決められたルールを守りながらキーボードやマウスなどを操作し、操作指示や文字等を入力する必要がある。しかしながら、パーソナルコンピュータに不慣れな利用者がこのルールを理解してキーボードやマウスを操作し、入力を行うには、労力と時間がかかってしまい、多大な負担となっていた。
また、特許文献１の情報入出力システムでは、前述したタイルに表示出力、ペン入力用デジタイザなどが付加されており、例えば、このペン入力を行うときには、決められた操作体系に従った操作が要求される。これは、利用者に対して、高機能かつ新規な操作体系を提案するものであり、コンピュータに不慣れな利用者が抱くキーボードやキーパッド、タッチパネル等の操作における戸惑い、あるいはそれらにもまして、コンピュータ画面内のアプリケーションの中において、機能の選択や切り替えのために定義されたキーボードやボタン操作の約束事を一見して理解することの難しさ、あるいはそれらを覚えなければならない煩雑さ、という問題を解決するものではない。
【０００５】
本発明はこのような事情を考慮してなされたものであり、その目的は、キーボードやマウスなどの入力手段を用いた操作の困難さや、これらの入力手段を用いた操作ルールを理解し覚えるという負担を軽減し、コンピュータに不慣れな利用者が簡易にコンピュータ上のアプリケーションを利用することができるアプリケーション操作システム及び方法、ならびに、操作指示装置を提供することにある。
【課題を解決するための手段】
【０００６】
前記課題を解決するために、請求項１記載の発明は、アプリケーションに対する操作指示を出力する操作指示装置と、前記操作指示を示す操作指示情報を記憶した操作指示記憶媒体とからなるアプリケーション操作システムであって、前記操作指示記憶媒体は、操作指示情報を記憶する記憶手段を備え、前記操作指示装置は、前記操作指示記憶媒体の記憶手段から操作指示情報を読み込む読込み手段と、前記読込み手段が読み込んだ操作指示情報に応じた操作指示を、操作対象のアプリケーションを実行するアプリケーション実行手段に通知する操作指示出力手段とを備える、ことを特徴とするアプリケーション操作システムである。
【０００７】
また、請求項２の発明は、請求項１に記載のアプリケーション操作システムであって、前記操作指示記憶媒体の記憶手段は、操作指示記憶媒体の識別手段をさらに記憶し、前記操作指示装置は、前記読込み手段が読み込んだ操作指示記憶媒体の識別情報により正当性を確認する正当性確認手段をさらに備える、ことを特徴とする。
【０００８】
また、請求項３の発明は、請求項１または請求項２に記載のアプリケーション操作システムであって、前記操作指示記憶媒体の記憶手段は、複数の記憶ブロックからなり、前記操作指示装置は、操作指示情報を読み出す対象の記憶ブロックを選択するための選択情報を記憶する記憶手段と、前記記憶手段内の選択情報を参照して選択した記憶ブロックから操作指示情報を読み出す操作選択手段とをさらに備える、ことを特徴とする。
【０００９】
また、請求項４の発明は、請求項１から請求項３のいずれかの項に記載のアプリケーション操作システムであって、前記操作指示装置の記憶手段は、操作指示の通知順序を規定する順序情報をさらに記憶し、前記操作指示装置は、前記記憶手段内の順序情報を参照して前記操作指示出力手段による操作指示の通知順を決定する操作順決定手段をさらに備える、ことを特徴とする。
【００１０】
また、請求項５の発明は、請求項１から請求項４のいずれかの項に記載のアプリケーション操作システムであって、前記操作指示情報は、データ及び機能を実行させる指示であるファンクションのどちらか一方あるいは両方からなることを特徴とする。
【００１１】
また、請求項６の発明は、請求項１から請求項５のいずれかの項に記載のアプリケーション操作システムであって、前記操作指示は、文字の入力あるいは機能の切り替えであることを特徴とする。
【００１２】
また、請求項７の発明は、請求項１から請求項６のいずれかの項に記載のアプリケーション操作システムであって、前記操作指示装置は、前記操作指示記憶媒体の記憶手段へアプリケーションに対する操作指示情報を書き込む書込み手段をさらに備える、ことを特徴とする。
【００１３】
また、請求項８の発明は、請求項１から請求項７のいずれかの項に記載のアプリケーション操作システムであって、前記操作指示記憶媒体の記憶手段は、無線タグであることを特徴とする。
【００１４】
また、請求項９の発明は、アプリケーションに対する操作指示を出力する操作指示装置と、前記操作指示を示す操作指示情報を記憶した操作指示記憶媒体とからなるアプリケーション操作システムに用いられる前記操作指示装置であって、前記操作指示記憶媒体の記憶手段から操作指示情報を読み込む読込み手段と、前記読込み手段が読み込んだ操作指示情報に応じた操作指示を、操作対象のアプリケーションを実行するアプリケーション実行手段に通知する操作指示出力手段と、を備えることを特徴とする操作指示装置である。
【００１５】
また、請求項１０の発明は、アプリケーションに対する操作指示を出力する操作指示装置と、前記操作指示を示す操作指示情報を記憶した操作指示記憶媒体とからなるアプリケーション操作システムに用いられるアプリケーション操作方法であって、前記操作指示記憶媒体が、操作指示情報を記憶する記憶手段を用意し、前記操作指示装置が、前記操作指示記憶媒体の記憶手段から操作指示情報を読み込み、読みこんだ操作指示情報に応じた操作指示を、操作対象のアプリケーションを実行するアプリケーション実行手段に通知する、ことを特徴とするアプリケーション操作方法である。
【００１６】
また、請求項１１の発明は、アプリケーションに対する操作指示を出力する操作指示装置と、前記操作指示を示す操作指示情報を記憶した操作指示記憶媒体とからなるアプリケーション操作システムに用いられる操作指示装置のコンピュータプログラムであって、前記操作指示記憶媒体の記憶手段から操作指示情報を読み込むステップと、読み込んだ操作指示情報に応じた操作指示を、操作対象のアプリケーションを実行するアプリケーション実行手段に通知するステップと、をコンピュータに実行させることを特徴とするコンピュータプログラムである。
【発明の効果】
【００１７】
請求項１、９、１０及び１１の発明によれば、利用者が、シンプルな機能目的別の複数の操作指示記憶媒体の中から該当するものを選んで読み込ませるという分かりやすい操作のみで、コンピュータやアプリケーションの操作順序などの操作ルールを覚えることなく、簡易にパーソナルコンピュータやアプリケーションを操作することができる。これにより、従来のインターフェースに不慣れな利用者にとって使いやすいものとなる。
請求項２の発明によれば、正当性が確認された操作指示記憶媒体によってのみアプリケーションを操作することができる。これにより、操作指示記憶媒体の不正コピーや不正利用などを防ぐことができる。
請求項３の発明によれば、操作指示記憶媒体に操作対象のアプリケーションや操作指示の内容などによりカテゴリ分けして操作指示の情報を記憶させることができる。これにより、用意すべき操作指示記録媒体の数を減らすことができ、利用者が使用すべき操作指示記録媒体を選択する際の利便性も高まる。
請求項４の発明によれば、利用者が同時に複数の操作指示記憶媒体から操作指示の情報を操作指示装置へ読み込ませた場合であっても、適切な順序で操作指示をアプリケーションへ通知することができる。これにより、利用者は、操作指示記憶媒体を読み込ませる順序を覚えることなく、アプリケーションを操作することができる。
請求項５の発明によれば、操作指示の汎用性が増し、用意すべき操作指示記録媒体の数を減らすことができる。
請求項６の発明によれば、利用者は、文字入力やアプリケーションの機能の切り替えを簡易に行うことができる。
請求項７の発明によれば、利用者は、所望の操作をアプリケーションに実行させるための操作指示記憶媒体を作成することができる。
請求項８の発明によれば、利用者は、簡易に複数の操作指示記憶媒体から操作指示の情報を読み込ませることができる。
【発明を実施するための最良の形態】
【００１８】
以下、図面を参照して本発明の実施の形態について説明する。
図１は、本発明の一実施の形態によるアプリケーション操作システムの構成を示している。ここでは、本発明と関係する機能ブロックのみ抽出して示してある。
アプリケーション操作システムは、操作指示装置としてのアプリケーションシステム３と、アプリケーションシステム３上のアプリケーションに対する操作指示を記憶したＲＦ−ＩＤ（Radio Frequency Identification）タグ２ａ〜２ｎ（以下、「ＲＦ−ＩＤタグ２」と記載）をそれぞれ内蔵した操作指示記憶媒体としての操作カード１ａ〜１ｎ（以下、「操作カード１」と記載）とからなる。
【００１９】
操作カード１には、例えば、自身の備えるＲＦ−ＩＤタグ２に記憶されている操作指示の内容を表す文字や絵柄などが印刷される。
ＲＦ−ＩＤタグ２は、電磁方式あるいはマイクロ波方式の無線タグであり、無線周波数を通信に利用し、データの記録用のメモリと、データの処理回路と、データを無線周波数で搬送するためのアンテナとを備える。メモリは、複数の記憶ブロックに分かれており、操作カード１を識別するためのＩＤ（操作指示記憶媒体の識別情報）及び操作指示が記憶されている。
ＲＦ−ＩＤタグ２は、樹脂製や紙製の容器に入れられたもの、全体を樹脂封止されたものや、樹脂や紙からなるシートに挟持したラベルなど、多様な形状に製作される。ＲＦ−ＩＤタグ２の電源は、外部からデータの搬送波として利用する電磁波やマイクロ波から必要な電力を取り出すか、ＲＦ−ＩＤタグ２に内蔵する電池に依存する。カードやラベルの形状の場合、その表面には、文字や写真、絵柄などの目視情報、バーコードや二次元バーコード等の可視光、赤外線などにより読み取り可能な光学情報、ＭＩＣＲ（Magnetic Ink Character Reader）文字や磁気ストライプ、磁気バーコードなどの磁気情報を設けてもよい。電磁波やマイクロ波以外で商品に貼付された商品情報を読み取る場合は、それぞれの読み取り方式に該当する読取装置を設ける必要がある。
【００２０】
アプリケーションシステム３は、例えば、パーソナルコンピュータ、通信機器、ゲーム機、家電製品などのコンピュータシステムであり、リーダライタ（以下、「Ｒ／Ｗ」）４、操作指示手段５、アプリケーション実行手段６、及び、入力手段７を備える。
Ｒ／Ｗ４は、操作カード１に内蔵されるＲＦ−ＩＤタグ２内の操作指示の読み取り及び書込みを行う機能を有し、具体的には、ＲＦ−ＩＤリーダ／ライタである。
アプリケーション実行手段６は、アプリケーション６１−１〜６１−ｍ（以下、「アプリケーション６１」と記載）を実行する。アプリケーション６１は、例えば、文書作成、表計算、ゲーム、映像・音楽ファイルの録音・再生、画面などのハードウェア切り替え、通信制御、家電制御など、任意の各種ソフトウェアである。
入力手段７は、キーボードやマウス、ボタン、タッチパネルなどであり、利用者が操作して入力した情報をアプリケーション実行手段６に通知する。
【００２１】
操作指示手段５は、記憶手段５１、読込み手段５２、正当性確認手段５３、操作選択手段５４、操作順決定手段５５、操作指示出力手段５６、操作情報登録手段５７、及び、書込み手段５８からなる。
記憶手段５１は、許可ＩＤリスト、選択情報、及び、順序情報を記憶する。
許可ＩＤリストは、操作指示を許可する操作カード１のＩＤのリストを示す。例えば、アプリケーション６１毎の許可ＩＤを示す。
選択情報は、ＲＦ−ＩＤタグ２内のどの記憶ブロックあるいは操作指示を読み出すかの情報を示す。例えば、操作カード１のＩＤまたはアプリケーション６１、あるいは、これらの組み合わせ毎の読み出す先の記憶ブロックまたは操作指示の情報からなる。
順序情報は、ＲＦ−ＩＤタグ２から読み込んだ複数の操作指示を、どのような順序でアプリケーション実行手段６に通知するかの情報を示す。例えば、操作カード１のＩＤ、アプリケーション６１、及び、操作指示の内容のいずれかまたは２以上の組み合わせ毎に、操作指示の優先度（順番）が規定される。操作指示の優先度は、操作指示が記憶されている操作カード１のＩＤ、あるいは、記憶ブロックにより示されてもよい。
【００２２】
読込み手段５２は、Ｒ／Ｗ４が読み込んだＲＦ−ＩＤタグ２内のＩＤ及び操作指示を受信する。
正当性確認手段５３は、読込み手段５２が受信したＩＤと、記憶手段５１内の許可ＩＤリストとを照合して、操作カード１の正当性を確認する。
操作選択手段５４は、正当性確認手段５３が操作カード１の正当性を確認した場合に選択情報を参照し、操作指示を読み出す対象の記憶ブロックあるいはアプリケーション実行手段６へ通知すべき操作指示自体を選択する。そして、ＲＦ−ＩＤタグ２内の選択した記憶ブロック内の操作指示あるいは選択した操作指示を、読み込み手段５２及びＲ／Ｗ４を介して読み込む。ここで、示された操作カード１がアプリケーション６１のその時点での可能な操作に対応せず、操作指示の選択・読込みが意味を為さない場合には、処理を停止し操作不可の警告を発することもできる。
操作順決定手段５５は、記憶手段５１内の順序情報を参照し、複数の操作カード１あるいは複数の記憶ブロックから読み込んだ操作指示を、どのような順序でアプリケーション実行手段６へ通知するかを決定する。
操作指示出力手段５６は、操作順決定手段５５が決定した順序に従い、アプリケーション実行手段６へ操作指示を通知する。
操作情報登録手段５７は、記憶手段５１内の許可ＩＤリスト、選択情報、及び、順序情報を更新する。
書込み手段５８は、ＲＦ−ＩＤタグ２への操作指示の書込みをＲ／Ｗ４へ指示する。
【００２３】
図２は、ＲＦ−ＩＤタグ２内に記憶されている情報の一例を示す。
同図において、ＲＦ−ＩＤタグ２のメモリは、ＩＤを記憶する記憶ブロックと、操作指示のリストを記憶する記憶ブロックであるブロックＡ〜Ｃとからなる。
ブロックＡには、操作指示Ａ−１、Ａ−２、…からなる操作指示リストが、ブロックＢには、操作指示Ｂ−１、Ｂ−２、…からなる操作指示リストが、また、ブロックＣには操作指示Ｃ−１、Ｃ−２…からなる操作指示リストが記憶されている。
各操作指示は、データまたはファンクション、あるいは、これらの組み合わせからなる。ファンクションとは、アプリケーション６１の起動・終了・中断・再開や、アプリケーション６１の各種機能（例えば、メニュー選択、印刷、画面表示の大きさの変更、画面切り替えなど）を指示するコマンドなどである。ファンクションはそれ自体でアプリケーションを操作できるものやデータと組み合わせることでアプリケーションを操作するものなどがある。例えば、特定のアプリケーションを起動させるファンクションは単体で実行することができるが、データの印刷を行うファンクションは、印刷部数を指定するデータとの組み合わせにより実行される。
【００２４】
次に、同実施の形態によるアプリケーション操作システムの動作について説明する。
ここでは、利用者が「Happy Birthday!」というメッセージをはがきに２部印刷することを想定する。また、アプリケーションシステム３は、はがき作成ソフトであるアプリケーション６１−１と、ワープロソフトであるアプリケーション６１−２を備え、現在アプリケーション６１−１が起動されているとする。
【００２５】
まず、利用者は、印刷したいフォントや色により「Happy Birthday!」と印刷されている操作カード１ａを選択する。操作カード１ａのブロックＡ〜Ｃには、以下の操作指示が記憶されているとする。
ブロックＡ：
（操作指示Ａ−１）文字列「Happy Birthday!」を入力するファンクション  
ブロックＢ：
（操作指示Ｂ−１）アプリケーション６１−１へ操作カード１ａに印刷されているものと同じフォントを指定するファンクション
（操作指示Ｂ−２）アプリケーション６１−１へ操作カード１ａに印刷されているものと同じ文字色を指定するファンクション
（操作指示Ｂ−３）アプリケーション６１−１へフォントサイズを指定するファンクション  
ブロックＣ：
（操作指示Ｃ−１）アプリケーション６１−２へ操作カード１ａに印刷されているものと同じフォントを指定するファンクション
（操作指示Ｃ−２）アプリケーション６１−２へ操作カード１ａに印刷されているものと同じ文字色を指定するファンクション
（操作指示Ｃ−３）アプリケーション６１−２へフォントサイズを指定するファンクション
【００２６】
図３は、本実施形態の以後の動作を示すフロー図である。
利用者が、操作カード１ａをＲ／Ｗ４へかざすと、アプリケーションシステム３の正当性確認手段５３は、読込み手段５２を介してＲ／Ｗ４がＲＦ−ＩＤタグ２ａから読み取ったＩＤを受ける（ステップＳ１１０）。すると、正当性確認手段５３は、記憶手段５１内の許可ＩＤリストを検索し、現在起動しているアプリケーション６１−１に対して、この読み取られたＩＤが登録されているか否かを確認する（ステップＳ１２０）。登録されていない場合には、処理を終了する。
一方、登録されていれば、正当な操作カード１であると判断し、続いて、読み出すべき操作指示が記憶されている記憶ブロックを選択する（ステップＳ１３０）。すなわち、操作選択手段５４は、ＩＤ及び現在起動しているアプリケーション６１−１の情報を用いて記憶手段５１内の選択情報を参照し、操作指示を読み出す先がブロックＡ及びＢであることを読み出す。そして、読込み手段５２を介してＲ／Ｗ４がＲＦ−ＩＤタグ２ａのブロックＡ及びＢから読み取った操作指示を受ける（ステップＳ１４０）。
【００２７】
次に、操作順決定手段５５は、ＩＤ及び現在起動しているアプリケーション６１−１の情報を用いて記憶手段５１内の順序情報を参照し、ブロックＢ、ブロックＡの順に操作指示を通知すべきことを認識する（ステップＳ１５０）。すると、操作指示出力手段５６は、操作順決定手段５５からの指示を受け、操作指示Ｂ−１、操作指示Ｂ−２、操作指示Ｂ−３、操作指示Ａ−１の順に操作指示をアプリケーション実行手段６へ通知する（ステップＳ１６０）。
アプリケーション実行手段６は、操作指示出力手段５６から受けた順の操作指示に従いアプリケーション６１−１を実行する。これにより、図示しないディスプレイなどの表示手段が表示しているアプリケーション６１−１の操作画面に、文字列「Happy Birthday!」が指定したフォント・色・フォントサイズにより入力されたことが表示される（ステップＳ１７０）。
【００２８】
また、例えば、「おめでとう！」の文字列を入力したい場合は、「お」、「め」、「で」、「と」、「う」、「！」それぞれの文字入力を指示するための操作カード１を選択し、同時にＲ／Ｗ４へ読ませることもできる。この場合、記憶手段５１内の順序情報は、これらの操作カード１のＩＤの組み合わせ、あるいは、「お」、「め」、「で」、「と」、「う」、「！」の文字データの組み合わせに応じて操作カード１の順番を規定する情報であるとする。これにより、操作指示出力手段５６は、操作順決定手段５５から指示された「お」、「め」、「で」、「と」、「う」、「！」の順序でそれぞれの文字入力の操作指示をアプリケーション実行手段６へ通知することができる。
【００２９】
次に、利用者は、数字「２」のデータが記憶されている操作カード１ｂ、はがき印刷をアプリケーション６１−１に指示するファンクションが記憶されている操作カード１ｃ、及び、アプリケーション６１−１の終了を指示するファンクションが記憶されている操作カード１ｄを選択し、まとめてＲ／Ｗ４へ近づける。
すると、上述した手順と同様にアプリケーションシステム３は、操作カード１ｂ、１ｃ、１ｄそれぞれのＩＤを読み込み、これらのＩＤの正当性を確認する（ステップＳ１１０、ステップＳ１２０）。次に、操作選択手段５４は、ＩＤ及び現在起動しているアプリケーション６１−１の情報を用いて選択情報を参照し、操作カード１ｂ、１ｃ、１ｄそれぞれについて、操作指示を読み出す先の記憶ブロックの情報を得る（ステップＳ１４０）。次に、操作順決定手段５５は、これらすべてのＩＤ及び現在起動しているアプリケーション６１−１の情報を用いて記憶手段５１内の順序情報を参照し、操作カード１ｂ、操作カード１ｃ、操作カード１ｄの順に、それぞれから読み出した操作指示をアプリケーション実行手段６へ通知することを決定する（ステップＳ１５０）。このとき、操作カード１ｃのファンクションは、操作カード１ｂ内の数字のデータ「２」と組み合わされることで、１つの操作指示「２部印刷」となる。
【００３０】
操作情報登録手段５７は、操作指示出力手段５６が決定した順序に従い操作指示をアプリケーション実行手段６へ通知する（ステップＳ１６０）。これにより、アプリケーション実行手段６は、アプリケーション６１−１を実行して図示しないプリンタなどの印刷手段によりはがき２部の印刷を実行し、印刷終了後、アプリケーション６１−１を終了する（ステップＳ１７０）。
【００３１】
また、利用者は、自身の所望する操作指示を行う操作カード１を作成することができる。利用者は、入力手段７から操作カード１のＲＦ−ＩＤタグ２に記憶させる操作指示内容と書込み先の記憶ブロックを入力し、書込み実行の指示を行う。操作情報登録手段５７は、操作カード１のＲＦ−ＩＤタグ２から読み出したＩＤを許可ＩＤリストに記憶する。そして、書込み手段５８は、Ｒ／Ｗ４へ指示することにより、ＲＦ−ＩＤタグ２の指定された記憶ブロックへ操作指示を書き込む。
さらに、利用者は、新たに作成した操作カード１に関する選択情報及び順序情報を記憶手段５１内に登録する。
【００３２】
なお、上記実施の形態においては、ＲＦ−ＩＤタグ２は複数の記憶ブロックに分かれており、それぞれに複数の操作内容が記憶されているが、記憶ブロックは１つのみであってもよく、また、操作内容が１つだけ記憶されていることでもよい。
【００３３】
上記実施の形態によれば、シンプルな機能目的別の複数の操作カードの中から、目的にあった操作カードを選んでＲ／Ｗへかざすという分かりやすい操作のみで、利用者は、コンピュータやアプリケーションの操作順序などの操作ルールを覚えることなく、簡易にパーソナルコンピュータやアプリケーションを操作することができる。これにより、従来のインターフェースに不慣れな利用者にとって使いやすいものとなる。とりわけ、文字入力やアプリケーションの機能の切り替えを簡易に行うことができる。
また、正当性が確認された操作カードによってのみアプリケーションを操作することができる。これにより、操作カードの不正コピーや不正利用などを防ぐことができる。
また、操作カードに操作対象のアプリケーションや操作指示の内容などによりカテゴリ分けして操作指示の情報を記憶させることができる。これにより、用意すべき操作カードの数を減らすことができ、利用者が使用すべき操作カードを選択する際の利便性も高まる。
また、複数の操作カードを同時に読み込ませることが可能であり、適切な順序で操作指示をアプリケーションへ通知することができる。利用者は、操作カードを順に読み込ませる煩雑さがなくなるとともに、操作カードを読み込ませる順序を覚えることなくアプリケーションを操作することができる。
また、操作指示をデータとファンクションの組み合わせとすることで、操作指示の汎用性が増し、用意すべき操作カードの数を減らすことができる。
【００３４】
なお、上述のアプリケーションシステム３は、内部にコンピュータシステムを有している。そして、上述した操作指示手段５内の各手段及びアプリケーション実行手段６の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００３５】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【産業上の利用可能性】
【００３７】
コンピュータシステムのソフトウェアやハードウェアの操作に利用することができる。
【図面の簡単な説明】
【００３８】
【図１】本発明の一実施の形態によるアプリケーション操作システムの構成を示す図である。
【図２】同実施の形態によるＲＦ−ＩＤタグ内のデータを示す図である。
【図３】同実施の形態による動作フローを示す図である。
【符号の説明】
【００３９】
１ａ、１ｂ、１ｎ…操作カード
２、２ａ、２ｂ、２ｎ…ＲＦ−ＩＤタグ
３…アプリケーションシステム
４…Ｒ／Ｗ
５…操作指示手段
５１…記憶手段
５２…読込み手段
５３…正当性確認手段
５４…操作選択手段
５５…操作順決定手段
５６…操作指示出力手段
５７…操作情報登録手段
５８…書込み手段
６…アプリケーション実行手段
６１−１、６１−２、６１−ｍ…アプリケーション
７…入力手段
【図１】
2005092787.tif 000003
【図２】
2005092787.tif 000004
【図３】
2005092787.tif 000005